(57)【要約】【課題】ハウジングの底面に対する操作体の近接および離反方向における寸法を短縮しやすいプッシュスイッチを提供すること。【解決手段】ハウジング４１には、押圧操作時の操作体４６の動作方向を規定する傾斜面４３Ａ，４３Ｂが設けられ、前記動作方向は、ハウジング４１の底面４２に近接する方向（矢印Ａ方向）と、この方向に対する直交方向（矢印Ｂ方向）とを成分とし、トーションスプリング５１は操作体４６とハウジング４１の底面４２の間で押し潰されたときに、１対の脚部５３Ａ，５３Ｂが前記直交方向に平行な方向に広がる姿勢に保持されている。操作体４６の押圧操作の前後で、トーションスプリング５１を介した導通状態と非導通状態が切り換わるよう固定接点５０Ａ，５０Ｂが設けられている。【選択図】図３
2008210689.tif 000002
【特許請求の範囲】
【請求項１】
ハウジングと、このハウジングの底面に近接および離反する方向に動作可能に支持され押圧操作される操作体と、前記ハウジングに設けられた１対の固定接点と、末広がりの１対の脚部を有し、この１対の脚部が前記ハウジングの底面に向かって延びた姿勢で前記操作体と前記ハウジングの底面の間に保持された導電性弾性体とを備え、
前記操作体が前記ハウジングの底面に近接する方向に押圧操作されたことにより前記導電性弾性体が前記操作体と前記ハウジングの間で押し潰されて前記１対の脚部が広がったときと、前記導電性弾性体が復元したときとで、前記１対の固定接点のそれぞれに前記１対の脚部のそれぞれが同時に接触した導通状態と、少なくとも前記１対の脚部の一方が前記固定接点の一方から離間した非導通状態とが切換わる位置に、前記１対の固定接点が配置されたプッシュスイッチであって、
前記ハウジングには、押圧操作時の前記操作体の動作方向を規定するガイド部が設けられ、このガイド部により規定された前記操作体の動作方向が、前記ハウジングの底面に近接する方向に対する直交方向を成分として含み、
前記操作体と前記ハウジングの間で押し潰されたときに前記１対の脚部が前記直交方向に平行な方向に広がる姿勢に前記導電性弾性体が保持されたことを特徴とするプッシュスイッチ。
【請求項２】
請求項１に記載のプッシュスイッチにおいて、
前記１対の脚部のうち、前記導電性弾性体が押し潰される前後での移動量の小さい方が、前記１対の固定接点の一方に常時接触し、前記移動量の大きい方が前記１対の固定接点の他方に対して接触したり離間したりするように、前記１対の固定接点が配置されたことを特徴とするプッシュスイッチ。
【請求項３】
請求項１または請求項２に記載のプッシュスイッチにおいて、
前記導電性弾性体が、トーションスプリングからなることを特徴とするプッシュスイッチ。
【請求項４】
請求項２記載のプッシュスイッチにおいて、
前記ハウジングの底面に離間保持部が設けられており、
前記一対の脚部の移動量の大きい方が前記一対の固定接点の他方と離間するとき、前記一対の脚部の移動量の大きい方が前記ハウジングの離間保持部に移動して、前記一対の固定接点の他方との離間が保持されることを特徴とするプッシュスイッチ。
【請求項５】
前記カードを収容するケースと、このケースに収容されたカードにより操作されることで、前記ケースに前記カードが収容されたことを検知するプッシュスイッチとを備えたカード用コネクタ装置であって、
前記プッシュスイッチが、請求項１〜４のいずれか１項に記載のプッシュスイッチからなることを特徴とするカード用コネクタ装置。
【請求項６】
請求項５に記載のカード用コネクタ装置において、
前記プッシュスイッチの前記ハウジングと前記ケースが一体に形成されたことを特徴とするカード用コネクタ装置用装置。
【請求項７】
請求項５または請求項６に記載のカード用コネクタ装置において、
前記ケースが、前記カードがその厚さ方向に移動させられて嵌め込まれる凹部が設けられたケース本体と、前記凹部を開閉することができるよう前記ケース本体に回動可能に取付けられた開閉カバーとを備え、
前記プッシュスイッチの前記操作体が前記凹部内に突出し、前記操作体が前記ハウジングの底面に近接する方向が、前記凹部に対する前記カードの嵌め込み方向に設定されたことを特徴とするカード用コネクタ装置。
【請求項８】
請求項４または請求項６に記載のカード用コネクタ装置において、
前記ケースが、前記カードがその厚さ方向に直交する方向に移動させられて挿入される空洞を形成し、
前記プッシュスイッチの前記操作体が前記空洞内に突出し、前記操作体が前記ハウジングに近接する方向が、前記空洞に対する前記カードの挿入方向に設定されたことを特徴とするカード用コネクタ装置。
【発明の詳細な説明】
【技術分野】
【０００１】
本発明は、末広がりの１対の脚部を有した導電性弾性体が、１対の脚部が広がるように弾性変形したり復元したりすることで、１対の脚部のそれぞれが１対の固定接点のそれぞれに接触した導通状態と、少なくとも１対の脚部の一方が１対の固定接点の一方から離間した非導通状態とを形成するプッシュスイッチ、および、このプッシュスイッチによりケースへのカードの収容を検知するカード用コネクタ装置に関する。
【背景技術】
【０００２】
従来のプッシュスイッチは、ハウジングと、このハウジングの底面に対して近接および離反する方向に動作可能に支持され押圧操作される操作体と、ケースに設けられた１対の固定接点と、末広がりの１対の脚部を有し、この１対の脚部が操作体側からハウジングの底面に向かって延びた姿勢で操作体とハウジングの底面の間に保持された導電性弾性体とを備えている。
【０００３】
導電性弾性体はトーションスプリングからなる。操作体にはハウジングの底面と平行な方向に突起した突起部が設けられている。この突起部にはトーションスプリングのコイル部が挿入されている。トーションスプリングの１対の脚部のそれぞれはハウジングの底面に当接している。
【０００４】
このように構成された従来のプッシュスイッチでは、操作体が押圧操作されると、トーションスプリングが操作体とハウジングの間で押し潰されて、１対の脚部が広がる。これにより、トーションスプリングの１対の脚部のそれぞれが１対の固定接点のそれぞれに接触する。つまり、１対の固定接点がトーションスプリングを介して導通した状態となる。
【０００５】
操作体に与えられている押圧力が取り除かれると、トーションスプリングが突起部を押圧することで操作体を押し戻しながら復元する。これにより、トーションスプリングの１対の脚部のそれぞれが１対の固定接点のそれぞれから離れ、１対の固定接点がトーションスプリングを介して導通した状態ではなくなる。
【０００６】
従来のカード用コネクタ装置は、カードが挿入されるケースと、前述した従来のプッシュスイッチと同様のプッシュスイッチとを備えている。プッシュスイッチは、ケースに挿入されたカードにより操作体が押圧操作されるようにケース内に設けられている。
【０００７】
前述した従来のプッシュスイッチは特許文献１で開示されている。前述した従来のカード用コネクタ装置は特許文献２で開示されている。
【特許文献１】特開２００５−３５３５４５公報
【特許文献２】特開２００４−１８５８２２公報
【発明の開示】
【発明が解決しようとする課題】
【０００８】
前述したプッシュスイッチに対しては、ハウジングの底面に対する操作体の近接および離反方向における寸法の短縮化が要望されている。この要望に応えるために、前記近接および離反方向における操作体の可動範囲を小さくすることが考えられる。しかし、その可動範囲を小さくすると、操作体とハウジングの底面の間で押し潰されたときのトーションスプリングの変形量が小さくなり、すなわち、１対の脚部のそれぞれが１対の固定接点のそれぞれに同時に接触したときの１対の脚部のそれぞれの端部の間の間隔寸法と、少なくとも１対の脚部の一方が１対の固定接点の一方から離間したときの１対の脚部のそれぞれの端部の間の間隔寸法との差が小さくなり、１対の固定接点の導通状態と非導通状態とを形成しにくくなる。つまり、特許文献１，２で開示されたプッシュスイッチは、ハウジングの底面に対する操作体の近接および離反方向における寸法を短縮しにくいものであった。
【０００９】
本発明は、前述の実状を考慮してなされたものであり、その第１目的は、ハウジングの底面に対する操作体の近接および離反方向における寸法を短縮しやすいプッシュスイッチを提供することである。第２目的は、ケースにカードが収容されたことを検知する手段として、第１目的を達成できるプッシュスイッチを備えたカード用コネクタ装置を提供することである。
【課題を解決するための手段】
【００１０】
〔１〕  前述の第１目的を達成するために、本発明のプッシュスイッチは、ハウジングと、このハウジングの底面に近接および離反する方向に動作可能に支持され押圧操作される操作体と、前記ハウジングに設けられた１対の固定接点と、末広がりの１対の脚部を有し、この１対の脚部が前記ハウジングの底面に向かって延びた姿勢で前記操作体と前記ハウジングの底面の間に保持された導電性弾性体とを備え、前記操作体が前記ハウジングの底面に近接する方向に押圧操作されたことにより前記導電性弾性体が前記操作体と前記ハウジングの間で押し潰されて前記１対の脚部が広がったときと、前記導電性弾性体が復元したときとで、前記１対の固定接点のそれぞれに前記１対の脚部のそれぞれが同時に接触した導通状態と、少なくとも前記１対の脚部の一方が前記固定接点の一方から離間した非導通状態とが切換わる位置に、前記１対の固定接点が配置されたプッシュスイッチであって、前記ハウジングには、押圧操作時の前記操作体の動作方向を規定するガイド部が設けられ、このガイド部により規定された前記操作体の動作方向が、前記ハウジングの底面に近接する方向に対する直交方向を成分として含み、前記操作体と前記ハウジングの間で押し潰されたときに前記１対の脚部が前記直交方向に平行な方向に広がる姿勢に前記導電性弾性体が保持されたことを特徴とする。
【００１１】
このように構成された本発明のプッシュスイッチによれば、ガイド部により規定された操作体の動作方向が、ハウジングの底面に近接する方向に対する直交方向を成分として含むこと、並びに、操作体とハウジングの間で導電性弾性体が押し潰されたときに１対の脚部がその直交方向に平行な方向に広がる姿勢で導電性弾性体が操作体とハウジングの間に保持されていることから、操作体とハウジングの間で導電性弾性体が押し潰されたときの変形量、すなわち、１対の脚部が広がる間隔を、押圧操作時の操作体の動作方向がハウジングの底面に近接する方向のみである場合よりも大きくすることができる。これにより、ハウジングの底面に対する近接および離反方向における操作体の可動範囲を小さくやすい、すなわち、その近接および離反方向における寸法を短縮しやすいプッシュスイッチを提供できる。
【００１２】
〔２〕  本発明のプッシュスイッチは、「〔１〕」に記載のプッシュスイッチにおいて、前記１対の脚部のうち、前記導電性弾性体が押し潰される前後での移動量の小さい方が、前記１対の固定接点の一方に常時接触し、前記移動量の大きい方が前記１対の固定接点の他方に対して接触したり離間したりするように、前記１対の固定接点が配置されたことを特徴とするものであってもよい。
【００１３】
このように構成された本発明のプッシュスイッチによれば、１対の固定接点のそれぞれに対して１対の脚部のそれぞれが接触したり離間したりするものよりも、１対の固定接点の導通状態と非導通状態の切換えの確実性を向上させることができる。
【００１４】
〔３〕  本発明のプッシュスイッチは、「〔１〕」または「〔２〕」に記載のプッシュスイッチにおいて、前記導電性弾性体が、トーションスプリングからなることを特徴とするものであってもよい。
【００１５】
このように構成された本発明のプッシュスイッチによれば、操作体を復帰させるための付勢力と、導電性弾性体と固定接点の接触圧とを確保しやすい。
【００１６】
〔４〕  本発明のプッシュスイッチは、「〔２〕に記載のプッシュスイッチにおいて、前記ハウジングの底面に離間保持部が設けられており、前記一対の脚部の移動量の大きい方が前記一対の固定接点の他方と離間するとき、前記一対の脚部の移動量の大きい方が前記ハウジングの離間保持部に移動して、前記一対の固定接点の他方との離間が保持されることを特徴とするものであってもよい。
【００１７】
このように構成された本発明のプッシュスイッチによれば、導電性弾性体の一対の脚部のうちの移動量の大きい方と一対の固定接点の一方との離間を確実に保持することができる。
【００１８】
〔５〕  前述の第２目的を達成するために、前記カードを収容するケースと、このケースに収容されたカードにより操作されることで、前記ケースに前記カードが収容されたことを検知するプッシュスイッチとを備えたカード用コネクタ装置であって、前記プッシュスイッチが、「〔１〕」〜「〔４〕」のいずれか１項に記載のプッシュスイッチからなることを特徴とするものであってもよい。
【００１９】
このように構成された本発明のカード用コネクタ装置では、ケースにカードが収容されたとき、そのカードがプッシュスイッチの操作体を押圧操作する。このとき、１対の固定接点が導通状態から非導通状態、または、非導通状態から導通状態に切り換わる。これにより、カード収容部にカードが収容されたことを検知することができる。
【００２０】
〔６〕  本発明のカード用コネクタ装置は、「〔５〕」に記載のカード用コネクタ装置において、前記プッシュスイッチの前記ハウジングと前記ケースが一体に形成されたことを特徴とするものであってもよい。
【００２１】
このように構成された本発明によれば、プッシュスイッチを備えることに伴うカード用コネクタ装置の部品点数の増加を低減できる。
【００２２】
〔７〕  本発明のカード用コネクタ装置は、「〔５〕」または「〔６〕」に記載のカード用コネクタ装置において、前記ケースが、前記カードがその厚さ方向に移動させられて嵌め込まれる凹部が設けられたケース本体と、前記凹部を開閉することができるよう前記ケース本体に回動可能に取付けられた開閉カバーとを備え、前記プッシュスイッチの前記操作体が前記凹部内に突出し、前記操作体が前記ハウジングの底面に近接する方向が、前記凹部に対する前記カードの嵌め込み方向に設定されたことを特徴とするものであってもよい。
【００２３】
〔８〕  本発明のカード用コネクタ装置は、「〔５〕」または「〔６〕」に記載のカード用コネクタ装置において、前記ケースが、前記カードがその厚さ方向に直交する方向に移動させられて挿入される空洞を形成し、前記プッシュスイッチの前記操作体が前記空洞内に突出し、前記操作体が前記ハウジングに近接する方向が、前記空洞に対する前記カードの挿入方向に設定されたことを特徴とするものであってもよい。
【発明の効果】
【００２４】
本発明のプッシュスイッチによれば、ガイド部により規定された操作体の動作方向が、ハウジングの底面に近接する方向に対する直交方向を成分とすること、並びに、操作体とハウジングの間で導電性弾性体が押し潰されたときに１対の脚部がその直交方向に平行な方向に広がる姿勢で導電性弾性体が操作体とハウジングの間に支持されていることから、ハウジングの底面に対する操作体の近接および離反方向における寸法を短縮しやすいプッシュスイッチを提供できる。
【００２５】
本発明のカード用コネクタ装置によれば、ハウジングの底面に対する操作体の近接および離反方向における寸法を短縮しやすいプッシュスイッチを、ケースへのカードの収容を検知する手段として備えているから、ケースへのカードの収容を検知する機能を有するカード用コネクタ装置の小型化や薄型化に貢献できる。
【発明を実施するための最良の形態】
【００２６】
本発明のプッシュスイッチおよびカード用コネクタ装置の一実施形態について図１〜図１０を用いて説明する。
【００２７】
図１は本発明のカード用コネクタ装置の一実施形態の斜視図である。図２は図１に示したカード用コネクタ装置の実施形態の分解斜視図である。図３は本発明のプッシュスイッチの一実施形態を示す部分断面図である。図４は操作体が押圧操作されたときのプッシュスイッチの状態を示す部分断面図である。図５は図２に示した操作体とトーションスプリングの組立体を示す斜視図である。図６は図５に示したトーションスプリングが組み込まれた操作体の側面の裏面を示す斜視図である。図７は図１に示した開閉カバーを開いた状態を示す斜視図である。図８は図７に示したケース本体の凹部にカードが嵌め込まれた状態を示す斜視図である。図９は図８に示した開閉カバーを閉じた状態を示す斜視図である。図１０は図９に示した開閉カバーをロックした状態を示す斜視図である。
【００２８】
本発明のカード用コネクタ装置の一実施形態は、図１，２に示すカード用コネクタ装置１である。このカード用コネクタ装置１は、カード３０（図７参照）を収容するケース２と、このケース２へのカード３０の収容を検知する手段としてのプッシュスイッチ４０（図７参照）とを備えている。
【００２９】
ケース２は、カード３０がその厚さ方向に移動させられて嵌め込まれる凹部４が設けられた、平面視形状がほぼ矩形に形成されたケース本体３と、凹部４を開閉することができるようケース本体３に回動可能に取付けられた開閉カバー１８とを備えている。
【００３０】
カード３０の裏面（図８に示す面は表面）には、カード３０の幅方向に並列した複数のカード端子（図示しない）が設けられている。ケース本体３の凹部４の寸法および形状は、カード３０の寸法および形状とほぼ同じに設定されている（図８参照）。凹部４の底面５には、複数のカード端子に対応する複数のコンタクト端子７が設けられている。
【００３１】
ケース本体３の幅方向における一方の側壁８Ａには、長溝９が設けられている。この長溝９は、ケース本体３の長手方向における側壁８Ａの一方の端部に位置していて、ケース本体３の幅方向においてケース本体３の外部から内部に向かう方向に凹み、ケース本体３の長手方向に延びている。他方の側壁８Ｂにも、長溝９と同様の長溝（図示しない）が設けられている。つまり、ケース本体３には、１対の長溝が設けられている。
【００３２】
一方の側壁８Ａには、ケース本体３の幅方向においてケース本体３の外部から内部に向かう方向に切欠かれた切欠き１１Ａ，１２Ａ，１３Ａと、これらの切欠き１１Ａ，１２Ａ，１３Ａと連続し、ケース本体３の長手方向に延びた切欠き１４Ａとが設けられている。他方の側壁８Ｂにも切欠き１１Ｂ，１２Ｂ，１３Ｂ，１４Ｂが設けられている。
【００３３】
開閉カバー１８は、ケース本体３に重なって配置されるほぼ矩形の平板部１９と、この平板部１９の幅方向の両側縁に設けられ、ケース本体３の両側壁８Ａ，８Ｂのそれぞれの外側面に沿って配置されるリブ２１Ａ，２１Ｂを有する。
【００３４】
ケース本体３の一方の側壁８Ａに対向して配置される平板部１９の部分には、側壁８Ａに向かって傾斜する片持ちバネ２０Ａが設けられている。ケース本体３の他方の側壁８Ｂに対向して配置される平板部１９の部分にも、側壁８Ｂに向かって傾斜する片持ちバネ２０Ｂが設けられている。
【００３５】
リブ２１Ａには、ケース本体３の側壁８Ａに設けられた長溝９に挿入される回動軸２２Ａが設けられている。リブ２１Ｂにも、図示しない長溝に挿入される回動軸２２Ｂが設けられている。
【００３６】
リブ２１Ａには、リブ２１Ｂの方向に突出した舌状部２３Ａ，２４Ａ，２５Ａが設けられている。これら舌状部２３Ａ，２４Ａ，２５Ａはこの順番で回動軸２２Ａ側から並んでいる。舌状部２３Ａ，２５Ａは平板部１９と平行な方向に広がっていて、舌状部２４Ａは平板部１９に直交する方向に広がっている。リブ２１Ｂにも舌状部２３Ｂ，２４Ｂ，２５Ｃが設けられている。
【００３７】
図２，３に示すように、プッシュスイッチ４０は、ケース本体３の側部、例えば側壁８Ｂと一体に形成されたハウジング４１と、このハウジング４１の底面４２に対して近接および離反可能に支持され押圧操作される操作体４６と、ハウジング４１に設けられた１対の固定接点５０Ａ，５０Ｂと、末広がりの１対の脚部を有し、この１対の脚部がハウジング４１の底面４２に向かって延びた姿勢で操作体４６とケース本体３の間に保持された導電性弾性体、例えばトーションスプリング５１とを備えている。ハウジング４１の底面４２は、ケース本体３の凹部４の底面５が広がる方向と平行な方向に広がっている。
【００３８】
図５に示すように、操作体４６にはハウジング４１の底面４２と平行な方向に突起した突起部４７が設けられていて、この突起部４７にはトーションスプリング５１のコイル部５２が挿入されている。トーションスプリング５１の１対の脚部５３Ａ，５３Ｂのそれぞれは、ハウジング４１の底面４２に当接している。
【００３９】
ハウジング４１には、操作体４６の動作方向を規定するガイド部、例えばハウジング４１の底面４２に対して傾斜した傾斜面４３Ａ，４３Ｂが設けられている。これらの傾斜面４３Ａ，４３Ｂは互いに平行であり、ハウジング４１の底面４２に対して例えば４５°傾いている。操作体２６には傾斜面４９Ａ，４９Ｂが設けられていて、これらの傾斜面４９Ａ，４９Ｂはそれぞれ傾斜面４３Ａ，４３Ｂに対向している。傾斜面４３Ａ，４３Ｂにより規定された操作体４６の動作方向は、ハウジング４１の底面４２に近接する方向（矢印Ａ方向←矢印Ａが図に無いようです。）と、この方向に対する直交方向（矢印Ｂ方向←矢印Ｂが図に無いようです。）とを成分としている。
【００４０】
図３，４を比較して分かるように、トーションスプリング５１の姿勢は、操作体４６がハウジング４１の底面４２に近接する方向（矢印Ａ方向）に押圧操作されたことにより操作体４６とハウジング４１の底面４２の間でトーションスプリング５１が押し潰されたときに１対の脚部５３Ａ，５３Ｂが前記直交方向（矢印Ｂ方向）に平行な方向に広がる姿勢に保持されている。
【００４１】
１対の固定接点５０Ａ，５０Ｂの配置は、操作体４６がハウジング４１の底面４２に近接する方向（矢印Ａ方向）に押圧操作されたことによりトーションスプリング５１が操作体４６とハウジング４１の底面４２の間で押し潰されて１対の脚部５３Ａ，５３Ｂが広がったときに、一方の脚部５３Ａが一方の固定接点５０Ａに接触し、かつ、他方の脚部５３Ｂが他方の固定接点５０Ｂから離間した非導通状態（図４に示す状態）となり、トーションスプリング５１が復元したときに、１対の固定接点５０Ａ，５０Ｂのそれぞれに１対の脚部５３Ａ，５３Ｂのそれぞれが同時に接触した導通状態（図３に示す状態）となるように、設定されている。ハウジング４１の底面４２から連続して傾斜面を含んで形成される離間保持部４２ａが設けられている。非導通状態（図４に示す状態）に移行するとき、他方の脚部５３Ｂが他方の固定接点部５０Ｂに接触した状態から離間保持部４２ａに移動して、他方の固定接点部５０Ｂから離間するものになっている。つまり、他方の脚部５３Ｂが離間保持部４２ａに移動することで他方の脚部５３Ｂが他方の固定接点５０Ｂから離間した状態を確実に保持できるようになっている。さらに、１対の脚部５３Ａ，５３Ｂのうち、トーションスプリング５１が押し潰される前後での移動量の小さい方、すなわち脚部５３Ａが、一方の固定接点５０Ａに常時接触し、前記移動量が大きい方である脚部５３Ｂが他方の固定接点５０Ｂに対して接触したり離間したりするように、設定されている。
【００４２】
ケース本体３の凹部４側に位置するハウジング４１の側壁４４には開口部４５が設けられている。操作体４６には、開口部４５から凹部４内に突出する操作部４８が設けられている。ハウジング４１の底面４２は凹部４の底面５よりも深い位置にある。開口部４５に面した凹部４の底面５の縁部には、切欠き６が設けられていて、操作体４６がハウジング４１の底面４２に近接するときの、操作部４８の移動が許容されるようになっている。
【００４３】
このように構成されたカード用コネクタ装置１のケース２に対して、次の「（１）」〜「（５）」の手順でカード３０を収容する。
【００４４】
（１）  １対の長溝９等のそれぞれの一端側の内壁面１０等（図２，１０等参照）のそれぞれを、１対の回動軸２２Ａ，２２Ｂのそれぞれの軸受として、開閉カバー１８を１対の回動軸２２Ａ，２２Ｂ周りに回動させ、図７に示すように開く。
【００４５】
（２）  図８に示すようにケース本体３の凹部４にカード３０を嵌め込む。
【００４６】
（３）  １対の長溝９等のそれぞれの一端側の内壁面１０等のそれぞれを、１対の回動軸２２Ａ，２２Ｂのそれぞれの軸受として、開閉カバー１８を１対の回動軸２２Ａ，２２Ｂ周りに回動させ、図９に示すように閉じる。これに伴い、舌状部２３Ａ，２５Ａが切欠き部１１Ａ，１３Ａを通過して切欠き１４Ａ内に配置され、舌状部２４Ａが切欠き１２Ａ内に配置される。同様に、舌状部２３Ｂ，２５Ｂが切欠き１１Ｂ，１３Ｂを通過して切欠き１４Ｂ内に配置され、舌状部２４Ｂが切欠き１４Ｂ内に配置される。
【００４７】
（４）  開閉カバー１８を片持ちバネ２０Ａ，２０Ｂの弾性力に抗してケース本体３に押し付けながら、１対の回動軸２２Ａ，２２Ｂのそれぞれが１対の長溝９等の内壁面１０等のそれぞれから離れる方向に、舌状部２４Ａ，２４Ｂのそれぞれが、切欠き部１２Ａ，１３Ａ間の突起部１６Ａおよび切欠き部１２Ｂ，１３Ｂ間の突起部１６Ａのそれぞれに当接するまでスライドさせる。
【００４８】
（５）  開閉カバー１８をケース本体３に押し付けるのをやめる。これに伴い、開閉カバー１８が片持ちバネ２０Ａ，２０Ｂから開く方向の押圧力を受けて、舌状部２３Ａが切欠き１１Ａ，１２Ａ間の突起部１５Ａに引っ掛かり、舌状部２５Ａが側壁８Ａの他端部の突起部１７Ａに引っ掛かる。同様に舌状部２３Ｂが突起部１５Ｂに引っ掛かり、舌状部２５Ｂが突起部１７Ｂに引っ掛かる。これらの結果、図１０に示すように開閉カバー１８が閉じた状態でロックされ、カード３０の複数のカード端子のそれぞれが複数のコンタクト端子７のそれぞれに接触した状態に保持される。
【００４９】
このようにカード３０がケース２に収容された状態では、操作体４６は、操作部４８がカード３０で押圧されることによって操作された状態であり、図４に示すようにハウジング４１の底面４２に近接している。つまり、操作体４６とハウジング４１の底面４２との間でトーションスプリング５１が押し潰されて１対の脚部５３Ａ，５３Ｂが広がり、脚部５３Ｂが固定接点５０Ｂから離間した状態、すなわち非導通状態となっている。
【００５０】
そして、前述の「（１）」〜「（５）」の逆の手順でカード３０を取り除くと、操作部４８に対する押圧力が取り除かれる。このとき、トーションスプリング５１は操作体４６の突起部４７を押圧することで操作体４６を押し戻しながら復元する。トーションスプリング５１の復元が完了した状態では、図３に示すように、１対の脚部５３Ａ，５３Ｂのそれぞれが１対の固定接点５０Ａ，５０Ｂのそれぞれに接触した状態、すなわち１対の固定接点５０Ａ，５０Ｂが導通状態となる。
【００５１】
プッシュスイッチ４０によれば次の効果を得られる。
【００５２】
プッシュスイッチ４０によれば、ハウジング４１に設けられた傾斜面４３Ａ，４３Ｂにより規定された操作体の動作方向が、ハウジング４１の底面４２に近接する方向（矢印Ａ方向）に直交方向（矢印Ｂ方向）を成分として含むこと、並びに、操作体４６とハウジング４１の底面４２の間でトーションスプリング５１が押し潰されたときに１対の脚部５３Ａ，５３Ｂがその直交方向（矢印Ｂ方向）に平行な方向に広がる姿勢でトーションスプリング５１が操作体４６とハウジング４１の間に保持されていることから、操作体４６とハウジング４１の底面４２の間でトーションスプリング５１が押し潰されたときの変形量、すなわち、１対の脚部５３Ａ，５３Ｂが広がる間隔を、押圧操作時の操作体４６の動作方向がハウジング４１の底面４２に近接する方向のみである場合よりも大きくすることができる。これにより、ハウジング４１の底面４２に対する近接および離反方向における操作体４６の可動範囲を小さくやすい、すなわち、その近接および離反方向における寸法を短縮しやすいプッシュスイッチを提供できる。
【００５３】
プッシュスイッチ４０によれば、１対の固定接点５０Ａ，５０Ｂの導通状態と非導通状態とが脚部５３Ｂの動作のみで切り換えられること、かつ、脚部５３Ｂはトーションスプリング５１が押し潰される前後での移動量の大きい方であることから、１対の固定接点５０Ａ，５０Ｂのそれぞれに対して１対の脚部５３Ａ，５３Ｂのそれぞれが接触および離間するようになっているものよりも、１対の固定接点５０Ａ，５０Ｂの導通状態と非導通状態の切換えの確実性を向上させることができる。
【００５４】
プッシュスイッチ４０によれば、導電性弾性体がトーションスプリング５１からなるので、操作体４６を復帰させるための付勢力と、導電性弾性体と１対の固定接点５０Ａ，５０Ｂの接触圧とを確保しやすい。なお、前記付勢力や前記接触圧が十分に確保できるのであれば、トーションスプリング５１ではなく、金属板等を屈曲させて形成したものでもよい。
【００５５】
プッシュスイッチ４０によれば、ハウジング４１の底面４２に離間保持部４２ａが設けられており、一対の脚部５３Ａ，５３Ｂのうちの移動量の大きい方（脚部５３Ｂ）が一対の固定接点５０Ａ，５０Ｂの他方（固定接点５０Ｂ）と離間するとき、脚部５３Ｂがハウジング４１の底面４２の離間保持部４２ａに移動することによって他方の固定接点５０Ｂと離間するから、移動量の大きい方の脚部５３Ｂと他方の固定接点５０Ｂとの離間を確実に保持することができる。
【００５６】
カード用コネクタ装置１によれば次の効果を得られる。
【００５７】
カード用コネクタ装置１によれば、ハウジング４１の底面４２に対する操作体４６の近接および離反方向における寸法を短縮しやすいプッシュスイッチ４０を、ケース２へのカード３０の収容を検知する手段として備えているから、ケース２へのカード３０の収容を検知する機能を有するカード用コネクタ装置の小型化や薄型化に貢献できる。
【００５８】
カード用コネクタ装置１によれば、プッシュスイッチ４０のハウジング４１とケース本体３が一体に形成されているから、プッシュスイッチ４０を備えることに伴うカード用コネクタ装置の部品点数の増加を低減できる。
【００５９】
前述のプッシュスイッチ４０では、操作体４６が押圧操作されたことによりトーションスプリング５１が操作体４６とハウジング４１の底面４２の間で押し潰されて１対の脚部５３Ａ，５３Ｂが広がったときに、一方の脚部５３Ａが一方の固定接点５０Ａに接触し、かつ、他方の脚部５３Ｂが他方の固定接点５０Ｂから離間した非導通状態となり、トーションスプリング５１が復元したときに、１対の固定接点５０Ａ，５０Ｂのそれぞれに１対の脚部５３Ａ，５３Ｂのそれぞれが同時に接触した導通状態となるように１対の固定接点５０Ａ，５０Ｂが配置されているが、本発明における１対の固定接点５０Ａ，５０Ｂの配置はこれに限定されるものではない。
【００６０】
この他の１対の固定接点５０Ａ，５０Ｂの配置としては、操作体４６が押圧操作されたことによりトーションスプリング５１が操作体４６とハウジング４１の間で押し潰されて１対の脚部５３Ａ，５３Ｂが広がったときに、１対の固定接点５０Ａ，５０Ｂのそれぞれに１対の脚部５３Ａ，５３Ｂのそれぞれが同時に接触した導通状態となり、トーションスプリング５１が復元したときに、一方の脚部５３Ａが一方の固定接点５０Ａに接触し、かつ、他方の脚部５３Ｂが他方の固定接点５０Ｂから離間した非導通状態となる配置であってもよい。また、１対の脚部５３Ａ，５３Ｂのそれぞれが１対の固定接点のそれぞれから離間した非導通状態が形成されるように、１対の固定接点５０Ａ，５０Ｂが配置されていてもよい。
【００６１】
前述のカード用コネクタ装置１では、ケース２が、カード３０がその厚さ方向に移動させられて嵌め込まれる凹部４が設けられたケース本体３と、凹部４を開閉することができるようケース本体３に回動可能に取付けられた開閉カバー１８とを備え、プッシュスイッチ４０の操作体４６が凹部４内に突出し、操作体４６がハウジング４１の底面４２に近接する方向が、凹部４に対するカード３０の嵌め込み方向に設定されたものであるが、本発明におけるカード用コネクタ装置はそれに限定されるものではない。ケースが、カードがその厚さ方向に直交する方向に移動させられて挿入される空洞を形成し、プッシュスイッチの操作体が前記空洞内に突出し、操作体がハウジングの底面に近接する方向が、前記空洞に対するカードの挿入方向に設定されたものであってもよい。
【図面の簡単な説明】
【００６２】
【図１】本発明のカード用コネクタ装置の一実施形態の斜視図である。
【図２】図１に示したカード用コネクタ装置の実施形態の分解斜視図である。
【図３】本発明のプッシュスイッチの一実施形態を示す部分断面図である。
【図４】操作体が押圧操作されたときのプッシュスイッチの状態を示す部分断面図である。
【図５】図２に示した操作体とトーションスプリングの組立体を示す斜視図である。
【図６】図５に示したトーションスプリングが組み込まれた操作体の側面の裏面を示す斜視図である。
【図７】図１に示した開閉カバーを開いた状態を示す斜視図である。
【図８】図７に示したケース本体の凹部にカードが嵌め込まれた状態を示す斜視図である。
【図９】図８に示した開閉カバーを閉じた状態を示す斜視図である。
【図１０】図９に示した開閉カバーをロックした状態を示す斜視図である。
【符号の説明】
【００６３】
１  カード用コネクタ装置
２  ケース
３  ケース本体
４  凹部
５  底面
６  切欠き
７  コンタクト端子
８Ａ，８Ｂ  側壁
９  長溝
１０  内壁面
１１Ａ，１１Ｂ  切欠き
１２Ａ，１２Ｂ  切欠き
１３Ａ，１３Ｂ  切欠き
１４Ａ，１４Ｂ  切欠き
１５Ａ，１５Ｂ  突起部
１６Ａ，１６Ｂ  突起部
１７Ａ，１７Ｂ  突起部
１８  開閉カバー
１９  平板部
２０Ａ，２０Ｂ  片持ちバネ
２１Ａ，２１Ｂ  リブ
２２Ａ，２２Ｂ  回動軸
２３Ａ，２３Ｂ  舌状部
２４Ａ，２４Ｂ  舌状部
２５Ａ，２５Ｂ  舌状部
３０  カード
４０  プッシュスイッチ
４１  ハウジング
４２  底面
４３Ａ，４３Ｂ  傾斜面（ガイド部）
４４  側壁
４５  開口部
４６  操作体
４７  突起部
４８  操作部
４９Ａ，４９Ｂ  傾斜面
５０Ａ，５０Ｂ  固定接点
５１  トーションスプリング（導電性弾性体）
５２  コイル部
５３Ａ，５３Ｂ  脚部
【図１】
2008210689.tif 000003
【図２】
2008210689.tif 000004
【図３】
2008210689.tif 000005
【図４】
2008210689.tif 000006
【図５】
2008210689.tif 000007
【図６】
2008210689.tif 000008
【図７】
2008210689.tif 000009
【図８】
2008210689.tif 000010
【図９】
2008210689.tif 000011
【図１０】
2008210689.tif 000012
【手続補正書】
【提出日】平成19年12月17日(2007.12.17)
【手続補正１】
【補正対象書類名】明細書
【補正対象項目名】００３９
【補正方法】変更
【補正の内容】
【００３９】
ハウジング４１には、操作体４６の動作方向を規定するガイド部、例えばハウジング４１の底面４２に対して傾斜した傾斜面４３Ａ，４３Ｂが設けられている。これらの傾斜面４３Ａ，４３Ｂは互いに平行であり、ハウジング４１の底面４２に対して例えば４５°傾いている。操作体２６には傾斜面４９Ａ，４９Ｂが設けられていて、これらの傾斜面４９Ａ，４９Ｂはそれぞれ傾斜面４３Ａ，４３Ｂに対向している。傾斜面４３Ａ，４３Ｂにより規定された操作体４６の動作方向は、ハウジング４１の底面４２に近接する方向と、この方向に対する直交方向とを成分としている。